(57)【要約】  ここでで開示されているのは支持棒固定具である。前記固定具には、垂直棒と、前記垂直棒に連結された水平棒と、一対の第１固定ユニッとト、一対の第２固定ユニットと、締着手段と、が含まれる。各第１固定ユニットは、前記水平棒に密着する水平連結部を持ち、前記水平連結部の端部に設けられる垂直連結部は、前記垂直棒に密着し、それらの間に規定された空間を持つ。各第２固定ユニットは、前記第１固定ユニットのそれぞれの空間に挿入され、前記垂直棒に密着する垂直連結部と、前記垂直連結部から外方に突出する水平連結部と、を持つ。前記締着手段は、前記第１固定ユニットと、前記第２固定ユニットと、を締着する。【選択図】図１
2008543485.tif 000002
【特許請求の範囲】
【請求項１】
支持棒固定具は、
支持部材としての機能を果たす垂直棒と、
前記垂直棒に連結され、棚としての機能を果たす水平棒と、
そのそれぞれが以下を有する一対の第１固定ユニット。前記水平棒に密着する水平連結部と、
その上下位置に配置され、前記垂直棒と密接に接触し、さらに、それらの間に規定された空間を持つように前記水平連結部の端部に設けられる垂直連結部と、
そのそれぞれが以下を有する一対の第２固定ユニット。前記第１固定ユニットのそれぞれの空間に挿入され、かつ、前記垂直棒に密着する垂直連結部と、
前記垂直連結部から外方に突出する水平連結部と、
前記第１固定ユニット同士を互いに締着し、前記第２固定ユニット同士を互いに締着し、かくして前記水平棒を前記垂直棒に接合するための締着手段とを含む支持棒固定具。
【請求項２】
支持棒固定具は、
そのそれぞれが以下を有する一対の第１固定ユニットと、
第１支持棒に密着する第１連結部と、
第２支持棒に密着するように前記第１連結部の端部に設けられ、かつ、それらの上に規定された空間を持つ第２連結部と、
そのそれぞれが以下を有する一対の第２固定ユニットと、
第３支持棒に密着する第１連結部と、
前記第２支持棒に密着するように前記第１固定ユニットのそれぞれの空間に挿入された第２連結部であって、前記第１連結部が前記第２連結部から外方に突出することを特徴とする第２連結部と、
前記第２固定ユニットの角度と異なる角度で取り付けられた一対の第３固定ユニットであって、前記第３固定ユニットのそれぞれが 第４支持棒に密着する第１連結部を有することを特徴とする一対の第３固定ユニットと、
前記第２支持棒に密着するように前記第１固定ユニットのそれぞれの空間に挿入された第２連結部であって、前記第１連結部が前記第２連結部から外方に突出することを特徴とする第２連結部と、
前記第１固定ユニット同士を互いに締着し、前記第２固定ユニット同士を互いに締着し、さらに、前記第３固定ユニット同士を互いに締着し、かくして前記支持棒を互いに接合するための締着手段とを含む支持棒固定具。
【請求項３】
請求項１又は２に記載の固定具であって、
前記水平及び垂直連結部のそれぞれの内面、又は前記第１及び第２連結部のそれぞれの内面に設けられた係止用突起部と、
前記垂直及び水平棒のそれぞれ、又は前記第１、第２、第３及び第４棒のそれぞれに設けられた係止用穴であって、前記締着手段を用いて締着作業が行われる際に前記係止用突起部に対応するようになっていることを特徴とする係止用穴とを含む固定具。
【発明の詳細な説明】
【技術分野】
【０００１】
本発明は、一般には、支持棒用の多目的固定具に関するものであり、特には、棚の水平棒を固定し、前記水平棒の取り付け角度を調整する働きをするため、前記棚の円滑な設置を可能にし、さらに、接合部分に固定具を必要とするさまざまな構造、ならびに棚に適用可能であるため、前記棚の支持棒固定具のように、支持棒の取り付け角度を所望の通りに調整することを可能にし、さらに、構設しようとする構造サイズを調整することを特徴とする支持棒用の多目的固定具に関するものである。
【背景技術】
【０００２】
一般に、安価で設置しやすい各種の棚が家庭又は衣料品店で利用されている。各棚には、支持部材としての機能を果たす垂直棒と、前記垂直棒に連結され、棚の機能を実行する水平棒と、が含まれる。
【０００３】
かかる棚では、「Ｔ」字形、「十」字形、又は「Ｌ」字形をはじめとするさまざまな形状を持つ固定具を用いて、前記水平棒を前記垂直棒に連結させている。
【０００４】
前記固定具を用いる棚は優れた構造上の安定性を持つが、 前記水平棒の角度を調整することが不可能である。
【０００５】
また、かかる従来型固定具を用いて前記棚をコーナー又は壁の湾曲部分に設置する際には、前記固定具の角度を調整することが不可能である。そのため、ユーザーは前記棚のいくつかを連結して使用しなければならないので不便である。
【０００６】
さらに、前記棚を連結して使用する際には、構造上の安定性を確保するために、数種類の固定具を用いて前記棚を固定する必要もある。前記棚は連結されて使用される必要があるので、その設置や移動が不便である。
【０００７】
また、必要数を超える棚が購入されるため、棚の購入コストも上がってしまう。
【０００８】
従来の棚の問題点を解決するため、本発明の出願人によって韓国実用新案登録請求番号２００５-１８４１８が提案及び出願されており、該登録請求では、棚の水平棒固定具が開示されている。前記固定具は前記棚専用に使用されるので、その用途には限界がある。かくして、接合部分に固定具を必要とするテント又はビニールハウスなどの構造には前記固定具を使用することができず、本実用新案に係る棚固定具の利点を他の構造に適用できない可能性もある。
【発明の開示】
【発明が解決しようとする課題】
【０００９】
よって、本発明は、従来技術で発生する上記問題点を念頭に置いてなされたものであり、本発明の目的は、垂直棒に固定された固定ユニットの角度が調整可能であるので、前記垂直棒に固定された前記固定ユニットの角度調整後、所望の通りに水平棒を取り付けることができるようになっており、さらに、前記固定ユニット同士を簡便に接続したり分離したりできるようになっていることを特徴とする棚の支持棒固定具を提供することである。
【００１０】
本発明の別の目的は、棚の設置場所にかかわらず簡便かつ円滑に設置することができ、かつ、ユーザーが水平棒の高さを所望の通りに調整することができる棚の支持棒固定具を提供することである。
【００１１】
本発明のさらなる目的は、接合部分に固定具を必要とするさまざまな構造、ならびに棚に適用されるため、前記棚の支持棒固定具のように、前記支持棒の取り付け角度を所望の通りに調整することを可能にし、さらに、構設しようとする構造サイズの調整を可能にする支持棒用の多目的固定具を提供することである。
【課題を解決するための手段】
【００１２】
上記目的を達成するため、本発明は以下を含む支持棒固定具を提供する。
支持部材としての機能を果たす垂直棒と、前記垂直棒に連結され、棚としての機能を果たす水平棒と、そのそれぞれが前記水平棒に密着する水平連結部を持つ一対の第１固定ユニットと、その上下位置に配置され、前記垂直棒と密接に接触し、かつ、それらの間に規定された空間を持つように前記水平連結部の端部に設けられる垂直連結部と、そのそれぞれが、前記第１固定ユニットのそれぞれの空間に挿入され、かつ、前記垂直棒に密着する垂直連結部を持つ一対の第２固定ユニットと、前記垂直連結部から外方に突出する水平連結部と、前記第１固定ユニット同士を互いに締着し、前記第２固定ユニット同士を互いに締着し、かくして前記水平棒を前記垂直棒に接合するための締着手段。
【００１３】
さらに、本発明は以下を含む支持棒固定具も提供する。
そのそれぞれが第１支持棒に密着する第１連結部を持つ一対の第１固定ユニットと、第２支持棒に密着するように前記第１連結部の端部に設けられ、かつ、それらの上に規定された空間を持つ第２連結部と、そのそれぞれが第３支持棒に密着する第１連結部を持つ一対の第２固定ユニットと、 前記第２支持棒に密着するように前記第１固定ユニットのそれぞれの空間に挿入された第２連結部であって、前記第１連結部が前記第２連結部から外方に突出することを特徴とする第２連結部と、前記第２固定ユニットの角度と異なる角度で取り付けられた一対の第３固定ユニットであって、前記第３固定ユニットのそれぞれが第４支持棒に密着する第１連結部を持つことを特徴とする一対の第３固定ユニットと、前記第２支持棒に密着するように前記第１固定ユニットのそれぞれの空間に挿入された第２連結部であって、前記第１連結部が前記第２連結部から外方に突出することを特徴とする第２連結部と、 前記第１固定ユニット同士を互いに締着し、前記第２固定ユニット同士を互いに締着し、さらに、前記第３固定ユニット同士を互いに締着し、かくして前記支持棒を互いに接合するための締着手段。
【００１４】
前記固定具には以下がさらに含まれる。
前記水平及び垂直連結部のそれぞれの内面又は前記第１及び第２連結部のそれぞれの内面に設けられた係止用突起部と、前記垂直及び水平棒のそれぞれ又は前記第１、第２、第３、及び第４棒のそれぞれに設けられた係止用穴であって、前記締着手段を用いて締着作業が行われる際に前記係止用突起部に対応するようになっていることを特徴とする係止用穴。
【発明を実施するための最良の形態】
【００１５】
これから、すべての図面を通じて同一または類似の構成部品名を指定するために同一参照番号を使用した図面について説明する。
【００１６】
図１は本発明の実施形態に係る支持棒固定具を示す分解斜視図であり、図２は組み付けられた状態における図１の支持棒固定具を示す斜視図であり、図３は図２の支持棒固定具であり、図４は図２の支持棒固定具を示す平面断面図であり、及び図５は使用中の図１の支持棒固定具を示す図である。
【００１７】
図１〜図５に示すように、支持棒固定具は主に棚に使用される。前記固定具には、垂直棒１０、水平棒２０、一対の第１固定ユニット１１０、一対の第２固定ユニット１２０、及び締着手段１３０が含まれる。この事例では、前記垂直棒１０は支持部材としての機能を果たす。前記水平棒２０は前記垂直棒１０に連結され、棚としての役割を果たす。前記第１固定ユニット１１０は、前記水平棒２０に密着する水平連結部１１１を持つ。垂直連結部１１２は、各水平連結部１１１の一端の上下部分に設けられ、前記垂直棒１０に密着する。さらに、空間１１４は前記上下垂直連結部１１２間に規定される。前記第２固定ユニット１２０のそれぞれには、対応する前記固定ユニット１１０の空間１１４に挿入され、かつ、前記垂直棒１０に密着する垂直連結部１２２が含まれる。水平連結部１２１は、前記垂直連結部１２２から外方に突出する。前記締着手段１３０は、前記第１固定ユニット１１０同士を互いに締着するか、又は前記第２固定ユニット１２０同士を互いに締着し、かくして前記水平棒２０を前記垂直棒１０に接合する。
【００１８】
前記垂直棒１０及び前記水平棒２０のそれぞれは、所定の長さのロッド形状を持つ。この事例では、前記垂直棒１０が地面上でスリップすることを防止するために、抗スリップ性のキャップを前記垂直棒１０の下端部に設けることも可能である。さらに、ホイールを備えるフレームを前記垂直棒に取り付け固定することも可能であるため、棚を所望の位置に簡便に移動することを可能にする。
【００１９】
前記第１固定ユニット１１０のそれぞれには、前記水平棒２０の外周が嵌合される前記水平連結部１１１が含まれる。前記垂直連結部１１２は前記水平連結部１１１の端部の上下部分に設けられ、空間１１４が前記上下垂直連結部１１２間に規定されるようになる。
【００２０】
さらに、前記垂直連結部１１２は前記垂直棒１０の外周に密着するように形成されることが好ましい。
【００２１】
前記第２固定ユニット１２０のそれぞれには、対応する前記第１固定ユニット１１０の空間１１４に挿入され、前記垂直棒１０に密着する前記垂直連結部１２２が含まれる。前記水平連結部１２１は、前記垂直連結部１２２から外方に突出する。
【００２２】
好ましくは、前記垂直連結部１２２は前記第１固定ユニット１１０の空間１１４よりもわずかに低い位置とし、前記垂直連結部が前記空間に挿入される際に、前記垂直連結部１２２の角度の円滑な調整が可能になるようにする。
【００２３】
さらに、前記垂直連結部１１２及び１２２は、一対の垂直連結部と、互いに対して対称となるように前後位置に設けられる一対の水平連結部を含む前記水平連結部１１１及び１２１と、を含む。
【００２４】
この事例では、対称配置となるように設けられる前記垂直連結部１１２及び１２２と、前記水平連結部１１１及び１２１と、のそれぞれはハーフパイプ形状を持つ。
【００２５】
また、締着穴１１３及び１２３は、互いに対して対称となるように分割されている前記固定具１００の水平連結部１１１及び１２１に形成される。この事例では、係止段差を持つ締着穴１１３及び１２３は、前記水平連結部１１１及び１２１のうちの１つに形成される。さらに、内径ネジを持つ締着穴は、前記係止段差を持つ前記締着穴に対して対称な前記水平連結部１１１及び１２１に形成される。
【００２６】
この事例では、前記第１及び第２固定ユニット１１０及び１２０のそれぞれは、独特の光沢及び高延性と展性を持つ金属材料を用いて鋳造されるが、 本発明は、前述の材料及び製造方法に限定されるものではない。
【００２７】
前記締着手段１３０では汎用ボルトが使用される。ボルトヘッドは、前記係止段差を持つ前記締着穴１１３及び１２３に完全に挿入されるため、前記水平連結部１１１及び１２１のそれぞれに良好な外観を提供する。
【００２８】
さらに、前記垂直棒１０、前記水平棒２０、前記第１固定ユニット１１０及び前記第２固定ユニット１２０のそれぞれは、特定の形状に限定されることなく、円筒形状、三角柱、又は角柱などの多角形をはじめとするさまざまな形状であってもよい。
【００２９】
図６は、本発明の別の実施形態に係る支持棒固定具を示す分解斜視図であり、図７は、組み付けられた状態における図６の支持棒固定具を示す斜視図であり、さらに、図８は、使用中の図６の支持棒固定具を示す図である。
【００３０】
図６〜図８に示すように、第２固定ユニット１２０の第２連結部１２２ａと、第３固定ユニット１３０の第２連結部１４２と、を第１固定ユニット１１０の対応する空間１１４に同時挿入するためには、前記第１〜第３固定ユニット１１０、１２０及び１４０は、前記第１固定ユニット１１０の第２連結部の厚さ１１２ａと、前記第２固定ユニット１２０の第２連結部１２２ａ及び前記第３固定ユニット１４０の第２連結部１４２の厚さ及び位置と、を考慮して製造される必要がある。前記固定ユニットの厚さが製造時に適切に調整される場合、前記第１固定ユニット１１０の空間１１４に挿入された前記固定ユニットの第２連結部は、この実施形態に限定されるものではない。つまり、本発明には２つ以上の第２連結部を含むことも可能である。
【００３１】
かくして、前記固定ユニット１１０、１２０及び１４０に固定されたいくつかの支持棒３０、４０、５０及び６０を、所望の角度を持つように取り付けることも可能である。それによって、本発明の適用可能な用途をさまざまに拡張することも可能である。つまり、本発明を用いてウォールテント、小型テント、ビニールハウスなど（以下、まとめてテントと呼ぶ）の骨組みを形成することも可能である。
【００３２】
もとより、前記固定ユニット１１０、１２０及び１４０がテントに使用される際には、各固定ユニットは、一対の固定ユニットを含み、かつ、互いに対して対称となっていることが好ましい。好ましくは、締着穴１１３、１２３及び１４３に挿入されて、前記固定ユニットのそれぞれを締着する締着手段１３０は、汎用ボルトを含むものとする。前記固定ユニットが棚に使用される際、前記第１固定ユニット１１０の空間１１４に挿入されたいくつかの前記第２連結部１２２ａ及び１４２の全厚は、各第１固定ユニット１１０の空間１１４のサイズよりも小さいので、前記固定ユニットは回転可能であり、その角度を円滑に調整できるようになっている。
【００３３】
さらに、本発明に係る支持棒固定具が棚又はテントに使用される際、係止用突出部１５０は、前記水平連結部１１１及び１２１と、前記垂直連結部１１２及び１２２との内面、又は前記第１連結部１１１ａ、１２１ａ及び１４１と、前記第２連結部１１２ａ、１２２ａ及び１４２との内面に設けられる。したがって、前記固定ユニットが前記締着手段１３０を用いて締着される際、前記係止用突出部１５０は、前記垂直棒１０及び前記水平棒２０、又は第１、第２、第３及び第４支持棒３０、４０、５０及び６０に形成される係止用穴１６０に挿入される。このようにして、前記垂直棒１０及び前記水平棒２０、又は前記支持棒３０、４０、５０及び６０は固定されるのである。
【００３４】
本発明の動作について下記に説明する。
【００３５】
まず、前記固定具が棚に使用される際、一対の第１固定ユニット１１０の垂直連結部１１２は、前記垂直棒１０に密着するように所望の高さに配設される。前記第１固定ユニット１１０は、前記締着手段１３０を介して前記垂直棒１０に予め締着される。なお、前記固定具がテントに使用される際、一対の第１固定ユニット１１０の第２連結部１１２ａは、前記第２支持棒４０に密着するように配設される。かかる状態で、前記第１固定ユニット１１０は、前記締着手段１３０を介して前記第２支持棒４０に予め締着される。
【００３６】
次に、前記第２固定ユニット１２０の垂直連結部１２２は前記垂直棒１０に密着させられる。この時点で、各垂直連結部１２２は、前記垂直棒１０に密着するように、対応する前記第１固定ユニット１１０の空間１１４に挿入され、さらに、前記第２固定ユニット１２０は予め締着される。かかる状態で、ユーザーは、前記第１及び第２固定ユニット１１０及び１２０を、前記垂直棒１０の周囲で所望の角度に回転する。なお、前記固定具がテントに使用される際、２つ以上の前記固定ユニット１２０及び１４０の第２連結部１２２ａ及び１４２は、前記第２支持棒４０に密着するように前記第１固定ユニット１１０の空間１１４に挿入され、さらに、予め締着される。その後、前記固定ユニットは、他の支持棒３０、５０及び６０の取り付けを可能にするため、適切な角度で回転される。
【００３７】
この事例では、前記固定具１００の回転が完了すると、前記水平棒２０は前記水平連結部１１１及び１２１に挿入され、前記支持棒３０、５０及び６０は前記第１連結部１１１ａ、１２１ａ及び１４１に挿入される。その後、予め締着された前記締着手段１３０は、再度しっかりと締め付けられる。
【００３８】
このようにして、前記第１固定ユニット１１０及び前記第２固定ユニット１２０が回転され、他の固定ユニット１４０も必要時に回転されるため、前記水平棒２０又は前記支持棒３０、５０及び６０の角度は適切に調整される。
【００３９】
また、ユーザーが組立済みの棚又はテントの水平棒２０又は支持棒３０、５０及び６０の角度調整を所望する際、前記固定ユニット１１０、１２０及び１４０のうちの１つに設けられた前記締着手段１３０はわずか緩められる。かかる状態で、ユーザーは、各固定ユニットを所望の角度で回転し、前記水平棒２０又は前記支持棒３０、５０及び６０の角度を調整する。
【００４０】
ユーザーは、棚の設置状態に応じて、前記第１及び第２固定ユニット１１０及び１２０のうちの１つのみを選択的に使用することも可能である。さらに、テントの設置状態に応じて、３つ以上の固定ユニットを使用することも可能である。
【００４１】
このようにして、ユーザーは、前記水平棒２０を所望の角度で回転することも、前記棚の水平棒２０の高さを調整することも可能である。
【産業上の利用可能性】
【００４２】
上記のように、本発明は、水平棒の回転角度の自由な調整を可能にし、前記水平棒の高さを簡便に調整することができ、水平棒を垂直棒に連続的に連結することができ、さらに、第１及び第２固定ユニットに固定された前記水平棒が適切な角度で回転できるので、壁のコーナー又は曲面に容易に設置することが可能であり、さらに、垂直棒と水平棒とが互いに分離可能であるため、体積を最小化することが可能であり、かくして、保管費や輸送費を節減できる支持棒固定具を提供するものである。
【００４３】
さらに、本発明は、接合部分に固定具を必要とするさまざまな構造、ならびに棚に適用可能なため、前記棚の支持棒固定具のように、前記支持棒の取り付け角度を所望の通りに調整することが可能であり、さらに、構設しようとする構造サイズの調整を可能にする支持棒用の多目的固定具を提供する。
【図面の簡単な説明】
【００４４】
本発明の上記およびその他の目的、特徴及び利点は、下記の添付図面と併せた詳細な説明によってさらに明確に理解されるであろう。
【図１】本発明の実施形態に係る支持棒固定具を示す分解斜視図である。
【図２】組み付けられた状態における図１の支持棒固定具を示す斜視図である。
【図３】図２の支持棒固定具を示す正面断面図である。
【図４】図２の支持棒固定具を示す平面断面図である。
【図５】使用中の図１の支持棒固定具を示す図である。
【図６】本発明の別の実施形態に係る支持棒固定具を示す分解斜視図である。
【図７】組み付けられた状態における図６の支持棒固定具を示す斜視図である。
【図８】使用中の図６の支持棒固定具を示す図である。
【図１】
2008543485.tif 000003
【図２】
2008543485.tif 000004
【図３】
2008543485.tif 000005
【図４】
2008543485.tif 000006
【図５】
2008543485.tif 000007
【図６】
2008543485.tif 000008
【図７】
2008543485.tif 000009
【図８】
2008543485.tif 000010
【国際調査報告】
2008543485.tif 000011
2008543485.tif 000012